(57)【要約】【課題】スリープモードにおいてメイン電源の駆動を停止させることによって、より電力消費の少ないスリープモードへの移行を行い、電力浪費を防止するものである。【解決手段】印刷装置に使用される電源制御装置であって、予め設定された日時にスリープモードへ移行させる信号を出力する制御手段と、この制御手段に電源を供給するサブ電源供給手段と、上記制御手段を除く全てに電源供給を行うメイン電源供給手段と、上記制御手段からのスリープモード移行信号の出力に基づいて、上記メイン電源供給手段の駆動を停止させるメイン電源停止制御手段とを有することを特徴とする。【選択図】    図１
2010182099.tif 000002
【特許請求の範囲】
【請求項１】
予め設定された日時にスリープモードへ移行させる信号を出力する制御手段と、
該制御手段に電源を供給するサブ電源供給手段と、
前記制御手段を除く全てに電源供給を行うメイン電源供給手段と、
前記制御手段からのスリープモード移行信号の出力に基づいて、前記メイン電源供給手段の駆動を停止させるメイン電源停止制御手段と、
を有することを特徴とする電源制御装置。
【請求項２】
予め設定された他の日時に前記制御手段からスリープモードを復帰させる信号が出力され、該スリープモード復帰信号に基づいて、前記メイン電源供給手段の駆動が復帰されることを特徴とする請求項１に記載の電源制御装置。
【請求項３】
前記制御手段からのスリープモード移行信号、及びスリープモード復帰信号の出力は、時計回路からの計時信号に基づいて行われ、前記時計回路も前記サブ電源供給手段から電源供給されることを特徴とする請求項１、又は２に記載の電源制御装置。
【請求項４】
前記スリープモード移行信号は、節電キーを操作することによっても出力され、前記メイン電源供給手段の駆動を停止させることを特徴とする請求項１、２、又は３に記載の電源制御装置。
【請求項５】
前記スリープモード復帰信号は、節電キーを操作することによっても出力され、前記メイン電源供給手段の駆動を復帰させることを特徴とする請求項１、２、３、又は４に記載の電源制御装置。
【請求項６】
前記予め設定された日時は装置を使用するスケジュールに基づいて設定されることを特徴とする請求項１に記載の電源制御装置。
【請求項７】
前記スケジュールはネットワークを介して装置に登録されることを特徴とする請求項６に記載の電源制御装置。
【発明の詳細な説明】
【技術分野】
【０００１】
本発明は、省電力モードの設定制御を行う電源制御装置に関する。
【背景技術】
【０００２】
今日、地球環境の保持が世界的に叫ばれ、地球温暖化防止会議を中心として温室効果ガスの排出規制が実現化に向かっている。このような状況において、プリンタ装置や複写機等の印刷装置においても、消費電力の削減が要求されている。
【０００３】
このため、印刷装置において、例えば消費電力を削減するため非稼動時の定着器の温度を下げ、スリープモードに設定することが行われている。例えば、一定時間印刷データが入力しない場合や、印刷装置の操作が行われない時間が一定時間継続する場合、タイマーによって自動的にスリープモードに移行する制御を行っている。また、上記一定時間は、例えば１０分、２０分・・・と設定され、この間印刷データの入力がなく、また印刷装置の操作が行われない場合、スリープモードに移行させていた。
一方、特許文献１はファイルオープン通知を受信すると、履歴情報に基づいて印刷処理にかかる時間を推定し、当該印刷推定時間に従って印刷装置の電源部を駆動し、印刷推定時間の終了によって電源部の駆動を停止し、節電モードに移行する発明である。
【０００４】
また、特許文献２は複数のホスト機器が接続された印刷装置において、複数のホスト機器から通知される複数のアプリケーションの起動状況を統合的に解析し、印刷装置をスリープモード、或いはスタンバイモードに切り替える制御を行うものである。
【先行技術文献】
【特許文献】
【０００５】
【特許文献１】特開２００８−０６２６１７号公報
【特許文献２】特開２００４−２５９２２３号公報
【発明の概要】
【発明が解決しようとする課題】
【０００６】
しかしながら、従来のスリープモードでは、メイン電源を停止させる制御ではないので、スリープモードとはいえ、かなりの電力を消費しており、例えばこの状態で夜間放置した場合、大きな電力浪費となる。
【０００７】
そこで、本発明は上記問題に鑑みてなされたものであり、スリープモードにおいてメイン電源の駆動を停止させることによって、より電力消費の少ないスリープモード（ディープスリープモード）への移行を行い、電力浪費を防止するものである。
【課題を解決するための手段】
【０００８】
上記課題は第１の発明によれば、予め設定された日時にスリープモードへ移行させる信号を出力する制御手段と、該制御手段に電源を供給するサブ電源供給手段と、前記制御手段を除く全てに電源供給を行うメイン電源供給手段と、前記制御手段からのスリープモード移行信号の出力に基づいて、前記メイン電源供給手段の駆動を停止させるメイン電源停止制御手段とを有する電源制御装置を提供することによって達成できる。
また、上記課題は第２の発明によれば、予め設定された他の日時に前記制御手段からスリープモードを復帰させる信号が出力され、該スリープモード復帰信号に基づいて、前記メイン電源供給手段の駆動が復帰される電源制御装置を提供することによって達成できる。
【０００９】
また、上記課題は第３の発明によれば、前記制御手段からのスリープモード移行信号、及びスリープモード復帰信号の出力は、時計回路からの計時信号に基づいて行われ、前記時計回路も前記サブ電源供給手段から電源供給される電源制御装置を提供することによって達成できる。
【００１０】
また、上記課題は第４の発明によれば、前記スリープモード移行信号は、節電キーを操作することによっても出力され、前記メイン電源供給手段の駆動を停止させる電源制御装置を提供することによって達成できる。
【００１１】
また、上記課題は第５の発明によれば、前記スリープモード復帰信号は、節電キーを操作することによっても出力され、前記メイン電源供給手段の駆動を復帰させる電源制御装置を提供することによって達成できる。
また、上記課題は第６の発明によれば、前記予め設定された日時は装置を使用するスケジュールに基づいて設定される電源制御装置を提供することによって達成できる。
さらに、上記課題は第７の発明によれば、前記スケジュールはネットワークを介して装置に登録される電源制御装置を提供することによって達成できる。
【発明の効果】
【００１２】
本発明によれば、スリープモードにおいてメイン電源の駆動を停止させ、より電力消費の少ないディープスリープモードへの移行を行い、電力浪費を防止し、地球環境の保持に懇献するものである。
【図面の簡単な説明】
【００１３】
【図１】プリンタ装置の内部構成を説明する図である。
【図２】本実施形態のプリンタ装置がネットワークを介してホスト機器に接続されたシステム構成図である。
【図３】Ｉ／Ｆコントローラ５の回路ブロック図である。
【図４】本実施形態の処理動作を説明するフローチャートである。
【図５】本実施形態の処理動作を説明するフローチャートである。
【図６】スケジュール設定の一例を示す図である。
【図７】本実施形態の他の処理動作を説明するフローチャートである。
【発明を実施するための形態】
【００１４】
以下、本発明の実施の形態を図面に基づいて説明する。
図２は、本実施形態のプリンタ装置がネットワークを介してホスト機器に接続されたシステム構成図である。本システムは２台のパーソナルコンピュータ（ＰＣ１、ＰＣ２）と、１台のプリンタ装置１、及びプリンタサーバ２が、ＬＡＮ（ローカル・エリア・ネットワーク）を介して接続された構成である。パーソナルコンピュータ（ＰＣ１、ＰＣ２）は、キーボード等の入力部や、表示部、及びプリンタドライバ等で構成され、アプリケーションプログラムに従って作成した印刷データをプリンタサーバ２を介してプリンタ装置１に出力する。
【００１５】
一方、図１はプリンタ装置１の内部構成を説明する図である。プリンタ装置１はオペレーションパネル４、インターフェイスコントローラ（以下、Ｉ／Ｆコントローラで示す）５、プリンタコントローラ６、ＭＤコントローラ７、高圧電源ユニット（ＨＶＵ）８、印字ヘッド９、及び電源装置１０で構成されている。
Ｉ／Ｆコントローラ５はホスト機器であるパーソナルコンピュータ（ＰＣ１、又はＰＣ２）から送信された印刷データの解析処理を行い、プリンタコントローラ６を介して印字ヘッド９に送信し、不図示の記録媒体への印字を行う。また、高圧電源ユニット（ＨＶＵ）８は不図示の現像器や転写器に高圧電圧を供給し、オペレーションパネル４はＩ／Ｆコントローラ５へ各種操作信号を送り、Ｉ／Ｆコントローラ５から表示データを受信する。また、オペレーションパネル４には後述する節電キー４ａも配設されている。
【００１６】
Ｉ／Ｆコントローラ５はＣＰＵ１２を含むメイン回路部１３と、制御部１４及びリアルタイムクロック（ＲＴＣ）１５を含むサブ回路部１６で構成されている。図３は上記Ｉ／Ｆコントローラ５の回路ブロック図である。
【００１７】
Ｉ／Ｆコントローラ５は前述のＣＰＵ１２、及びＳＤＲＡＭ１８、フラッシュメモリ１９、ハードディスク２０が接続されるＨＤＤコネクタ２１、ＵＳＢドライブ２２、ＬＡＮインターフェース２３、前述のオペレーションパネル４が接続されるオペハネインターフェース（ＯＰＥインターフェース）２４、インターフェース制御部２５、更に前述の制御部１４とＲＴＣ１５で構成されている。
尚、前述のように制御部１４とＲＴＣ１５はサブ回路部１６に配設され、ＣＰＵ１２等の他の回路はメイン回路部１３に配設されている。
【００１８】
一方、電源装置１０はメイン電源２７とサブでサブ電源２８で構成され、メイン電源２７とサブ電源２８の切り替えはリレー２９によって行われる。また、メイン電源２７には５Ｖ系の出力端子２７ａ１、２７ａ２、及び３．３Ｖ系の出力端子２７ｂが備えられている。尚、メイン電源２７の入力端子２７ｃにはリレー２９及び電源スイッチ３０を介してＡＣ１００Ｖの商用電源が供給される。
【００１９】
出力端子２７ａ１から出力される５Ｖ系の出力電圧はプリンタドライバ５のＣＰＵ１２等に供給され、端子２７ａ２から出力される５Ｖ系の出力電圧はプリンタコントローラ６やＭＤコントローラ７に供給される。また、出力端子２７ｂから出力される３．３Ｖ系の出力電圧もプリンタコントローラ６やＭＤコントローラ７に供給される。
【００２０】
一方、サブ電源２８は上記リレー２９と共に、ＡＣ−ＤＣコンバータ３１と５Ｖ系の出力端子２８ａを備える。電源スイッチ３０を介して供給されるＡＣ１００Ｖの商用電源はＡＣ−ＤＣコンバータ３１によってＤＣ５Ｖの電圧に変換され、出力端子２８ａから前述のプリンタドライバ５のサブ回路部１６に供給される。
【００２１】
以上の構成において、以下に本例の処理動作を説明する。
図４は本例の処理動作を説明するフローチャートである。先ず、プリンタ装置１の電源を投入し（電源スイッチ３０をオンし）、ＳＵＢ電源２８に電源供給を行い、ＡＣ−ＤＣコンバータ３１から５Ｖの出力電圧を出力端子２８ａを介してプリンタドライバ５のサブ回路部１６に供給する。この電源供給により、ＳＵＢ回路部１６に配設された制御部１４が駆動し、リレーオン信号をアクティブとし、メイン電源２７に電源供給を行う（ステップ（以下、Ｓで示す）１）。具体的には、リレーオン信号がリレー２９を駆動し、メイン電源２７に電源スイッチ３０を介してＡＣ１００Ｖの商用電源を供給する。
【００２２】
この処理によって、メイン電源２７が駆動し、図５に示すフローチャートに従って、先ず初期設定処理を行う（ステップ（以下、図５においてＳＴで示す）１）。この処理によってＡＣ１００Ｖの商用電源は、不図示のコンバータによって５Ｖ系の直流出力電圧、及び３．３Ｖ系の直流出力電圧に変換され、前述のようにプリンタドライバ５のＣＰＵ１２や、プリンタコントローラ６やＭＤコントローラ７に供給される。
【００２３】
プリンタドライバ５や、プリンタコントローラ６、ＭＤコントローラ７に電源供給が行われると、通常の回路処理が行われ（ＳＴ２）、以後パーソナルコンピュータ（ＰＣ１）等から印刷データが供給されると、プリンタドライバ５及びプリンタコントローラ６が駆動し、印字ヘッド９によって記録媒体に印刷を行うことが可能となる。
次に、ユーザはオペレーションパネル４を操作し、スケジュール設定を行う（ＳＴ３）。この設定によって作成されたスケジュールは、例えばファラッシュメモリ１９に登録され、以後ＲＴＣ１５から出力される日時情報との比較処理が行われる。
【００２４】
図６は上記ユーザによって設定されたスケジュールの一例である。同図の例では、例えば１０月１日（水曜日）８：００〜１２：００までプリンタ装置１を駆動し、１２：００にスリープモードに移行し、１３：００に再度プリンタ装置１を駆動し、１７：３０にプリンタ装置１の電源をオフするスケジュールである。尚、他の日についても同図に示す通りである。
【００２５】
したがって、以後プリンタ装置１はユーザによって設定されたスケジュールに従って駆動し、スリープモードの時刻になるまで駆動を継続する（ＳＴ４がＮＯ、ＳＴ５がＮＯ）。    
尚、節電キー４ａは前述のようにオペレーションパネル４に設けられており、節電キー４ａが操作された場合には、図１に示すキー信号がＣＰＵ１２、及び制御部１４に供給され、スリープモードの解除、又はスリープモードへの移行指示が行われる。したがって、節電キー４ａの操作も行われず、設定されたスケジュールが未だスリープモードの時刻に達していない場合には、上記処理を繰り返す。
【００２６】
その後、設定されたスケジュールがスリープモードの時刻に達すると（ＳＴ４がＹＥＳ）、ＣＰＵ１２から制御部１４を介して電源オフ信号が出力され（ＳＴ６）、メイン電源２７の駆動を停止させる。
【００２７】
以上のように、本例によればプリンタ装置１を使用しない時間、スケジュールに従ってディープスリープモードに設定し、電力消費が極めて少ない省エネルギー状態にプリンタ装置１を設定することができる。
【００２８】
次に、ディープスリープモードからの復帰は、上記スケジュール設定に基づいて行われ、例えば前述の１０月１日（水曜日）の１３：００になると（図４に示すＳ４がＮＯ、Ｓ５がＹＥＳ、ＩＮＴあり）、制御部１４からリレーオン信号が出力され、リレー２９を切り替え、メイン電源が立ち上がりディープスリープモードから復帰する（Ｓ１）。
【００２９】
この処理によって、前述と同様初期設定処理が行われ（ＳＴ１）、プリンタドライバ５のＣＰＵ１２や、プリンタコントローラ６、ＭＤコントローラ７が駆動を開始する。
【００３０】
上記説明は、スケジュール情報に基づく処理であるが、スリープモード時においても、緊急で印刷処理が必要な場合もあり、かかる場合には前述の節電キー４ａを操作して行う。例えば、ディープスリープモード時、節電キー４ａを操作することによって（Ｓ４がＹＥＳ）、制御部１４からリレーオン信号を出力し、メイン電源を立ち上げてディープスリープモードから復帰させることができる。
【００３１】
尚、プリンタ装置１を使用しない場合には、ユーザは節電キー４ａを操作して（ＳＴ５がＹＥＳ）、電源オフ信号をアクティブにし（ＳＴ６）、メイン電源２７の駆動を停止させ、ディープスリープモードに移行させることもできる。このように制御することにより、更に省エネルギーに懇献することができる。
【００３２】
一方、図７に示すフローチャートはスケジュール情報を、例えば図１及び図３に示すハードディスク２０に登録しておく場合であり、ハードディスク２０からこのスケジュール情報を読み出してスリープモードの制御を行う。また、ハードディスク２０に登録するスケジュール情報は前述のプリンタサーバ２上に、例えば図６に示すカレンダー情報として読み出して登録する。
【００３３】
すなわち、各ユーザ（各会社）毎に休日、祭日等が異なる場合や、曜日によって設定時刻を変えたい場合があり、プリンタ装置１はこのスケジュール表を常に更新できるようにし、スケジュール表をダウンロードしてハードディスク２０に登録する。
【００３４】
この場合も、前述の処理と同様、メイン電源２７に電源供給が行われると、先ず初期設定処理が行われ（ステップ（以下、図７においてＳＴＰで示す）１）、プリンタドライバ５のＣＰＵ１２や、プリンタコントローラ６、ＭＤコントローラ７に電源供給が行われ、プリンタドライバ５等による通常の回路処理が行われる（ＳＴＰ２）。
【００３５】
次に、ユーザはプリンタサーバ２からスケジュール表を読み込み（ＳＴＰ３）、当該スケジュール表をハードディスク２０に保存する（ＳＴＰ４）。そして、スケジュール表に従って自動的にスケジュール設定を行い（ＳＴＰ５）、例えば１０月１日（水曜日）８：００〜１２：００までプリンタ装置１を駆動し、１２：００にスリープモードに移行し、１３：００に再度プリンタ装置１を駆動し、１７：３０にプリンタ装置１の電源をオフする（ＳＴＰ６〜ＳＴＰ８）。
【００３６】
また、この間、スリープモードにおいて節電キー４ａを操作することによって（Ｓ４がＹＥＳ）、リレーオン信号を出力し、リレー２９を切り替え、メイン電源を立ち上げてディープスリープモードから復帰させることができる。また、駆動期間であってもプリンタ装置１を使用しない場合には、ユーザは節電キー４ａを操作して（ＳＴ５がＹＥＳ）、電源オフ信号をアクティブにし（ＳＴ６）、メイン電源２７の駆動を停止させ、省エネルギーに懇献することもできる。
【符号の説明】
【００３７】
１・・・印刷装置
２・・・サーバコンピュータ
４・・・オペレーションパネル
４ａ・・節電キー
５・・・Ｉ／Ｆコントローラ
６・・・プリンタコントローラ
７・・・ＭＤコントローラ
８・・・高圧電源ユニット
９・・・印字ヘッド
１０・・電源装置
１２・・ＣＰＵ
１３・・メイン回路部
１４・・制御部
１５・・ＲＴＣ
１６・・サブ回路部
１８・・ＳＤＲＡＭ
１９・・フラッシュメモリ
２０・・ハードディスク
２１・・ＨＤＤコネクタ
２２・・ＵＳＢドライブ
２３・・ＬＡＮインターフェース
２４・・ＯＰＥインターフェース
２５・・インターフェース制御部
２７・・メイン電源
２７ａ１、２７ａ２・・５Ｖ系の端子
２７ｂ・・３．３Ｖ系の端子
２８・・サブ電源
２８ａ・・出力端子
２９・・リレー
３０・・電源スイッチ
３１・・ＡＣ−ＤＣコンバータ
【図４】
2010182099.tif 000003
【図５】
2010182099.tif 000004
【図６】
2010182099.tif 000005
【図７】
2010182099.tif 000006
【図１】
2010182099.tif 000007
【図２】
2010182099.tif 000008
【図３】
2010182099.tif 000009